(57)【要約】【課題】  ピンセット作業をする空間を適切な光量で照らす。【解決手段】  ピンセット。２本の腕部のうち、少なくとも一方の先端部に発光体を配置する。発光体の発光量を制御する光量調整手段を設ける。【選択図】  図１
2020023012.tif 000002
【特許請求の範囲】
【請求項１】
２本の腕部のうち、少なくとも一方の先端部に配置した発光体と、
前記発光体の発光量を制御する光量調整手段と
を備えるピンセット。
【請求項２】
前記２本の腕部の長手方向を含む平面内において、一の前記発光体を配置した腕部の長手方向に対して、当該発光体の光軸が略垂直になるように当該発光体が配置された、請求項１に記載のピンセット。
【請求項３】
前記２本の腕部の前記先端部が互いに接触しているとき、前記発光体の電源をオフし、前記２本の腕部の前記先端部が互いに離間しているとき、前記発光体の電源をオンする電源スイッチを更に備える、請求項１または請求項２に記載のピンセット。
【請求項４】
前記光量調整手段は、前記発光体に出力する電流の大きさを制御することにより、前記発光体の発光量を制御する、請求項１乃至請求項３のいずれか一項に記載のピンセット。
【請求項５】
前記光量調整手段は、前記発光体に出力する電流をパルス幅変調し、オンオフの一周期当たりのパルス幅を変更することにより、前記発光体の発光量を制御する、請求項１乃至請求項３のいずれか一項に記載のピンセット。
【請求項６】
前記腕部の少なくとも一方は、前記発光体を複数備え、
前記光量調整手段は、前記複数の発光体の一部乃至全部を選択的に発光させて、発光させる発光体の個数を変更することにより、発光量を調整する、
請求項１乃至請求項３のいずれか一項に記載のピンセット。
【請求項７】
２本の腕部のうち、少なくとも一方の先端部に配置した発光体と、
前記発光体の発光量を制御する光量調整手段とをピンセットに設けて、
前記光量調整手段によって前記発光体の発光量を制御する方法。
【請求項８】
前記２本の腕部の長手方向を含む平面内において、一の前記発光体を配置した腕部の長手方向に対して、当該発光体の光軸が略垂直になるように当該発光体が配置された前記ピンセットの前記発光体の発光量を制御する、請求項７に記載の方法。
【請求項９】
前記発光体の電源をオンオフする電源スイッチを備える前記ピンセットにおいて、前記電源スイッチは、
前記２本の腕部の前記先端部が互いに接触しているとき、前記発光体の電源をオフし、
前記２本の腕部の前記先端部が互いに離間しているとき、前記発光体の電源をオンする、
請求項７または請求項８に記載の方法。
【請求項１０】
前記光量調整手段は、前記発光体に出力する電流の大きさを制御することにより、前記発光体の発光量を制御する、請求項７乃至請求項９のいずれか一項に記載の方法。
【発明の詳細な説明】
【技術分野】
【０００１】
本発明はピンセットに関し、特に、発光体を備えるピンセットに関する。
【背景技術】
【０００２】
各種電子機器、専用端末等の保守メンテナンス作業において、作業の対象となる機器の内部の部品を交換する作業を行うことがある。その際、機器の大きさや、交換しようとしている部品が機器内に設置されている位置によっては、十分な作業空間を確保することができず、作業者の手が入らないことがある。このような状況では、作業者はピンセットを用いて作業を行うことがある。
【０００３】
通常、室内照明の明かりは機器の内部までは届きにくく、機器内部は暗くなりやすい。このため、機器内部で作業を行う際には、なんらかの手段によって、ピンセットを用いた作業の対象となる目的物とその周辺に照明を当てる必要がある。
【０００４】
しかし、作業対象となる機器の内部に照明器具を配置するのは難しい。また、機器の外部に照明器具を配置すると、作業者自身の体によって光が遮られることがある。作業者自身が、ハンドライトを片手に持って機器内部を照らしながら、もう片手にピンセットを持って作業を行うことが考えられるが、このような手法は難度が高く、作業性が低いものだった。
【０００５】
使用者が片手で作業空間を照らしながら作業を行うことができるようにするため、光源を備えたピンセットがある。
【０００６】
特許文献１のピンセットは二本の腕部と基端部とを備える。基端部は腕部を二股状に繋いでいる。腕部はそれぞれ発光部、導光部、先端部を有する。発光部は腕部の基端部側に設けられる。発光部が発した光は、導光部を介して、先端部から腕部の外部に向かって出射される。
【０００７】
特許文献２には鍵穴用照明装置が開示されている。鍵穴用照明装置は２本のＬ字状操作棒を備える。Ｌ字状操作棒はそれぞれ先端に発光ダイオードを備える。
【先行技術文献】
【特許文献】
【０００８】
【特許文献１】特開２００７−０６９３３７号公報
【特許文献２】実用新案登録第３１００３４６号公報
【発明の概要】
【発明が解決しようとする課題】
【０００９】
特許文献１、２に記載のピンセット、鍵穴用照明装置は、いずれも、光源をオンオフすることは可能なものの、光量を調整することはできなかった。このため、これらの光源は常に一律の光量の光を照射した。
【００１０】
一般に、様々な目的物をつまみ上げるためにピンセットは用いられる。目的物には、光を反射しやすい表面を有するものもある。逆に、光を反射しにくい表面を有する目的物もある。こうした反射の強弱を考慮せずに、目的物に一定の光量を照射すると、反射光が強すぎるために、或いは、弱すぎるために、目的物が目視しにくくなる場合がある。
【００１１】
本発明はこのような状況に鑑みてなされたものであり、本発明が解決しようとする課題は、光源の光量を調整可能なピンセットを提供することである。
【課題を解決するための手段】
【００１２】
上述の課題を解決するため、本発明は、その一態様として、２本の腕部のうち、少なくとも一方の先端部に配置した発光体と、前記発光体の発光量を制御する光量調整手段とを備えるピンセットを提供する。
【００１３】
また、本発明は、他の一態様として、２本の腕部のうち、少なくとも一方の先端部に配置した発光体と、前記発光体の発光量を制御する光量調整手段とをピンセットに設けて、前記光量調整手段によって前記発光体の発光量を制御する方法を提供する。
【発明の効果】
【００１４】
本発明によれば、ピンセット先端に設けた発光体の発光量を調整し、作業空間に応じた適切な光量で作業を行うことができる。
【図面の簡単な説明】
【００１５】
【図１】本発明の第１の実施の形態であるピンセットの模式図である。
【図２】発光部の配置及び光軸の向きについて説明するための図である。発光部はひとつの発光体からなる。
【図３】発光部の配置及び光軸の向きについて説明するための図である。発光部は３つの発光体からなる。
【図４】本発明の第２の実施の形態であるピンセットの模式図である。
【図５】第２の実施の形態のピンセットについて説明するための図である。ピンセットは結束具で閉じた状態にある。
【発明を実施するための形態】
【００１６】
（第１の実施の形態）
本発明の第１の実施の形態であるピンセット１００について説明する。図１を参照すると、ピンセット１００は基部１、腕部２を備える。腕部２は二本の腕部２Ｌ、２Ｒからなり、基部１から腕部２Ｌ、２Ｒが二股状に延びている。基部１は光量調整部４、電源スイッチ５、電源６を備える。腕部２Ｌは先端部２１Ｌ、導線２２Ｌを備える。先端部２１Ｌは発光部２３Ｌを備える。同様に、腕部２Ｒは先端部２１Ｒ、導線２２Ｒを備える。先端部２１Ｒは発光部２３Ｒを備える。
【００１７】
基部１は腕部２Ｌ、２Ｒをそれぞれ片持ち梁として支持する。また、基部１はその内部に光量調整部４、電源スイッチ５、電源６を収容する。基部１は、例えば金属、プラスチック等で形成された中空の筒状の筐体である。基部１は内部に光量調整部４、電源スイッチ５、電源６を収容する。また、基部１の端部において、腕部２Ｌ、２Ｒをそれぞれ片持ち梁として支持する。尚、基部１は中実の板状であってもよい。その場合、光量調整部４、電源スイッチ５、電源６は板の片面乃至両面に配置される。
【００１８】
腕部２Ｌ、２Ｒは、それぞれ、弾性を有する材料、例えば金属、プラスチック等で形成された片持ち梁である。腕部２Ｌ、２Ｒは、それぞれ、一端が基部１によって支持され、他端が先端部２１Ｌ、２１Ｒとなっている。ピンセット１００を用いる作業者は、例えば基部１を中指、薬指及び小指で掴みながら、親指と人差し指の間で腕部２Ｌ、２Ｒを挟むようにして持つ。親指と人差し指の間を狭めると、先端部２１Ｌ、２１Ｒが互いに接近する。目的物が先端部２１Ｌ、２１Ｒの間に位置するようにピンセット１００を操作した状態で、親指と人差し指の間を狭めると、先端部２１Ｌ、２１Ｒの間で目的物を挟むことができる。
【００１９】
先端部２１Ｌ、２１Ｒは、それぞれ、腕部２Ｌ、２Ｒの内側に向かう挟持面２４Ｌ、２４Ｒを有する。挟持面２４Ｌ、２４Ｒは平滑な平面であってもよい。或いは、挟持した目的物の滑りを防止するため、平面上に微細な凹凸を多数設けたものであってもよい。或いは、挟持する目的物の外形に沿った形に窪みを設けた曲面としてもよい。
【００２０】
腕部２Ｌ、２Ｒには、導線２２Ｌ、２２Ｒがそれぞれ埋設されている。導線２２Ｌは、後述する光量調整部４と発光部２３Ｌの間を電気的に接続する。同様に、導線２２Ｒは、光量調整部４と発光部２３Ｒの間を電気的に接続する。
【００２１】
発光部２３Ｌ、２３Ｒは導線２２Ｌ、２２Ｒを介して供給された電流を光に変換する。発光部２３Ｌ、２３Ｒは例えばＬＥＤ（Ｌｉｇｈｔ  Ｅｍｉｔｔｉｎｇ  Ｄｉｏｄｅ）である。発光部２３Ｌ、２３ＲはＬＥＤに限定されるものではなく、電力を光に変換するものであれば発光原理を特に問わない。発光部２３Ｌ、２３Ｒは、例えば、電球であってもよい。以下、発光部２３Ｌ、２３Ｒとして利用可能な発光体を総称して単に発光体と呼ぶ。発光部２３Ｌ、２３Ｒは、それぞれ、少なくともひとつの発光体を備える。発光部２３Ｌ、２３Ｒは、それぞれ、複数の発光体を備えることとしてもよい。
【００２２】
発光部２３Ｌは、例えば、挟持面２４Ｌに対して光軸２５Ｌが略垂直になるように配置されることが好ましい。言い方を変えると、腕部２Ｌ、２Ｒの長手方向２６Ｌ、２６Ｒを含む平面（例えば図１の紙面）内において、腕部２Ｌの長手方向２６Ｌに対して光軸２５Ｌが略垂直になるように、発光部２３Ｌが配置されることが好ましい。発光部２３Ｒの光軸２５Ｒについても同様である。
【００２３】
図２は発光部２３Ｌの一例を図示している。図２は、挟持面２４Ｌに対して垂直な方向から発光部２３Ｌを見た状態である。本例の発光部２３Ｌでは、平滑な平面からなる挟持面２４ＬにＬＥＤを１個埋め込んでいる。発光部２３Ｌの対となる発光部２３Ｒについても同様である。
【００２４】
このような光軸の配置により、目的物が先端部２１Ｌ、２１Ｒの間に来るようにピンセット１００を操作したとき、発光部２３Ｌ、２３Ｒの光は、目的物を両側面から照らすことができる。このため、例えば装置筐体内の暗部で作業をしているとき、ピンセット１００を用いて目的物を持ち上げる直前まで、作業者は目的物を容易に視認することができる。
【００２５】
尚、挟持面２４Ｌ、２４Ｒと平行な方向（腕部２Ｌ、２Ｒの長手方向２６Ｌ、２６Ｒ）に光軸が向いているようなピンセットを考える。ピンセットで目的物を掴む直前、目的物は、先端部２１Ｌ、２１Ｒの間に位置する。この位置関係では、光軸に沿った光は目的物に向かわない。光軸に沿った光は長手方向２６Ｌ、２６Ｒに沿って進む。このため、ピンセットで目的物を挟み上げる直前で目的物及びその周辺が暗くなってしまう。
【００２６】
電源６は発光部２３Ｌ、２３Ｒが発光するための電力を供給する。電源６は例えばボタン電池、二次電池等の電池を内蔵したものであってもよい。尚、電池等の内部電源を基部１に設ける代わりに、外部電源に接続するための電源ポートを電源６として基部１に設けることとしてもよい。例えば、ＵＳＢ（Ｕｎｉｖｅｒｓａｌ  Ｓｅｒｉａｌ  Ｂｕｓ）ポートを電源６として基部１に設けて、不図示のＵＳＢケーブルを介して、同じく不図示の外部電源から電力の供給を受けることとしてもよい。
【００２７】
電源スイッチ５は、電源６から、光量調整部４、導線２２Ｌ、２２Ｒ、発光部２３Ｌ、２３Ｒへの電力供給をオンオフするためのスイッチである。
【００２８】
光量調整部４は、発光部２３Ｌ、２３Ｒが発する光量を調整する回路である。光量調整部４は、作業者による光量の指定を受け取る手段を備える。例えば、光量を弱、中、強の３段階に切り替える切替スイッチを備えることとしてもよい。作業者は指等で切替スイッチを切り替える。或いは、電源６が外部電源からＵＳＢケーブル等で電力供給を受ける場合、ＵＳＢケーブルを介して光量調整部４に光量の指定を入力することとしてもよい。
【００２９】
光量調整部４を備えることにより、作業者は、作業空間の明るさや、目的物における光の反射の度合い等に応じて、発光部２３Ｌ、２３Ｒが発する光量を調整することができるようになる。その結果、作業者は自分にとって目的物等を目視しやすい光量で作業を行うことができる。
【００３０】
発光体がＬＥＤの場合、光量調整部４は、電流の大きさを制御する電流制御回路であってもよい。即ち、供給する電流値によってＬＥＤの明るさを制御することとしてもよい。この場合、ＬＥＤの数はひとつでも複数でもよい。
【００３１】
また、発光体がＬＥＤの場合、光量調整部４は、パルス幅を変調するパルス幅変調回路であってもよい。即ち、一定電流のオンオフを短時間に繰り返し、オンオフの一周期においてオンにしている時間の長さ（パルス幅）を変更することにより、ＬＥＤの発光量を調整することとしてもよい。この場合、ＬＥＤの数はひとつでも複数でもよい。
【００３２】
また、発光部２３Ｌ、２３Ｒがそれぞれ複数の発光体からなる場合、光量調整部４は、それら複数の発光体の一部乃至全部を選択的に発光させる、発光体選択回路であってもよい。このような光量調整部４では、個々の発光体の発光量を変更する代わりに、発光する発光体の個数を変更することによって発光量を調整する。発光体はＬＥＤであっても他の発光体でもよい。
【００３３】
例えば、図３に示すように、発光部２３Ｌが３つのＬＥＤ、２３Ｌ１、２３Ｌ２、２３Ｌ３を備えるとする。ＬＥＤ２３Ｌ１、２３Ｌ２、２３Ｌ３の光軸は、それぞれ、挟持面２４Ｌに対して略垂直である。このとき、光量調整部４は次の（１）〜（３）のいずれかを選択する。（１）ＬＥＤ２３Ｌ２のみをオンし、ＬＥＤ２３Ｌ１、２３Ｌ３をオフする。（２）ＬＥＤ２３Ｌ２のみをオフにし、ＬＥＤ２３Ｌ１、２３Ｌ３をオンする。（３）ＬＥＤ２３Ｌ１、２３Ｌ２、２３Ｌ３の全てをオンにする。これにより、発光させるＬＥＤの数によって光量を３段階に変更する。
【００３４】
本実施の形態のピンセット１００によれば、光量調整部４を備えるため、作業者は、所望の光量でピンセット作業を行うことができる
【００３５】
（第２の実施の形態）
本発明の第２の実施の形態であるピンセット２００について説明する。上述のピンセット１００と比較すると、電源スイッチ５の代わりに、電源スイッチ５Ｌ、５Ｒを備える点で異なる。
【００３６】
図４を参照して説明する。電源スイッチ５Ｌ、５Ｒは一組のスイッチである。ただし、電源スイッチ５Ｌ、５Ｒは、互いに離間しているときオンになる。このとき発光部２３Ｌ、２３Ｒは点灯する。他方、電源スイッチ５Ｌ、５Ｒは、互いに接触しているときオフになる。このとき発光部２３Ｌ、２３Ｒは消灯する。図４では、電源スイッチ５Ｌ、５Ｒは互いに離間しているためオンである。発光部２３Ｌ、２３Ｒはどちらも点灯している。
【００３７】
また、ピンセット２００は結束具７を備える。結束具７は腕部２Ｌ、２Ｒを結束する手段である。結束具７によって腕部２Ｌ、２Ｒを結束すると、電源スイッチ５Ｌ、５Ｒは互いに接触した状態を維持する。結束具７は、例えば、自然繊維或いは合成繊維からなる紐であってもよいし、プラスチック、ゴム等のバンドであってもよい。これらの紐やバンド状の結束具７は腕部２Ｌ、２Ｒと分離可能である。しかし、結束具７はこのような形態に限定されない。電源スイッチ５Ｌ、５Ｒが互いに接触した状態を維持可能であれば、腕部２Ｌ、２Ｒや基部１から不可分な形で結束具を設けることとしてもよい。
【００３８】
ゴムバンドを結束具７として用いた様子を図５に示す。結束具７が電源スイッチ５Ｌ、５Ｒを閉じた状態を維持しているため、このとき、発光部２３Ｌ、２３Ｒはどちらも消灯している。
【００３９】
ピンセット２００によれば、ピンセット作業の開始前に作業者が結束具７を外すと、電源スイッチ５Ｌ、５Ｒが互いに離間する。その結果、発光部２３Ｌ、２３Ｒが点灯する。また、ピンセット作業の終了後に作業者が結束具７で腕部２Ｌ、２Ｒを結束すると、電源スイッチ５Ｌ、５Ｒが互いに接触する。その結果、発光部２３Ｌ、２３Ｒが消灯する。このため、作業者は、発光部２３Ｌ、２３Ｒを発光させることを目的として、電源スイッチの操作をする必要がない。
【００４０】
以上、本発明を実施の形態に即して説明したが、本発明はこれに限定されるものではない。例えば、上述の実施の形態では、２つの腕部の両方の先端部に発光部を設けることとしたが、本発明はこれに限定されるものではなく、いずれか一方の腕部の先端部のみに発光部を設けることとしてもよい。
【００４１】
上記の実施形態の一部又は全部は以下の付記のようにも記載されうるが、以下には限られない。
【００４２】
（付記１）
２本の腕部のうち、少なくとも一方の先端部に配置した発光体と、
前記発光体の発光量を制御する光量調整手段と
を備えるピンセット。
【００４３】
（付記２）
前記２本の腕部の長手方向を含む平面内において、一の前記発光体を配置した腕部の長手方向に対して、当該発光体の光軸が略垂直になるように当該発光体が配置された、付記１に記載のピンセット。
【００４４】
（付記３）
前記２本の腕部の前記先端部が互いに接触しているとき、前記発光体の電源をオフし、前記２本の腕部の前記先端部が互いに離間しているとき、前記発光体の電源をオンする電源スイッチを更に備える、付記１または付記２に記載のピンセット。
【００４５】
（付記４）
前記光量調整手段は、前記発光体に出力する電流の大きさを制御することにより、前記発光体の発光量を制御する、付記１乃至付記３のいずれか一項に記載のピンセット。
【００４６】
（付記５）
前記光量調整手段は、前記発光体に出力する電流をパルス幅変調し、オンオフの一周期当たりのパルス幅を変更することにより、前記発光体の発光量を制御する、付記１乃至付記３のいずれか一項に記載のピンセット。
【００４７】
（付記６）
前記腕部の少なくとも一方は、前記発光体を複数備え、
前記光量調整手段は、前記複数の発光体の一部乃至全部を選択的に発光させて、発光させる発光体の個数を変更することにより、発光量を調整する、
付記１乃至付記３のいずれか一項に記載のピンセット。
【００４８】
（付記７）
２本の腕部のうち、少なくとも一方の先端部に配置した発光体と、
前記発光体の発光量を制御する光量調整手段とをピンセットに設けて、
前記光量調整手段によって前記発光体の発光量を制御する方法。
【００４９】
（付記８）
前記２本の腕部の長手方向を含む平面内において、一の前記発光体を配置した腕部の長手方向に対して、当該発光体の光軸が略垂直になるように当該発光体が配置された前記ピンセットの前記発光体の発光量を制御する、付記７に記載の方法。
【００５０】
（付記９）
前記発光体の電源をオンオフする電源スイッチを備える前記ピンセットにおいて、前記電源スイッチは、
前記２本の腕部の前記先端部が互いに接触しているとき、前記発光体の電源をオフし、
前記２本の腕部の前記先端部が互いに離間しているとき、前記発光体の電源をオンする、
付記７または付記８に記載の方法。
【００５１】
（付記１０）
前記光量調整手段は、前記発光体に出力する電流の大きさを制御することにより、前記発光体の発光量を制御する、付記７乃至付記９のいずれか一項に記載の方法。
【００５２】
（付記１１）
前記光量調整手段は、前記発光体に出力する電流をパルス幅変調し、オンオフの一周期当たりのパルス幅を変更することにより、前記発光体の発光量を制御する、付記７乃至付記９のいずれか一項に記載の方法。
【００５３】
（付記１２）
前記腕部の少なくとも一方は、前記発光体を複数備え、
前記光量調整手段は、前記複数の発光体の一部乃至全部を選択的に発光させて、発光させる発光体の個数を変更することにより、発光量を調整する、
付記７乃至付記９のいずれか一項に記載の方法。
【符号の説明】
【００５４】
１  基部
２Ｌ、２Ｒ  腕部
４  光量調整部
５、５Ｌ、５Ｒ  電源スイッチ
６  電源
７  結束具
２１Ｌ、２１Ｒ  先端部
２２Ｌ、２２Ｒ  導線
２３Ｌ、２３Ｒ  発光部
２４Ｌ、２４Ｒ  挟持面
２５Ｌ、２５Ｒ  光軸
２６Ｌ、２６Ｒ  （腕部２Ｌ、２Ｒの）長手方向
１００、２００  ピンセット
【図１】
2020023012.tif 000003
【図２】
2020023012.tif 000004
【図３】
2020023012.tif 000005
【図４】
2020023012.tif 000006
【図５】
2020023012.tif 000007